(57)【要約】光源の点灯前にエネルギ貯蓄部に流れる電流を制御することができる表示装置を提供する。ＨＵＤ装置は、定電流供給部３００と、定電流供給部３００からの電流を受けて光を発する複数の光源と、各光源に電流が供給される際にエネルギが蓄えられるインダクタＬ１と、発光する光源を順次切り替えるフィールドシーケンシャル方式にて所望の色の照明光を生成する光源制御部２０１と、インダクタＬ１に蓄えられたエネルギを放出する抵抗Ｒ１及びスイッチ部Ｓｗｒ１と、定電流供給部３００からの電流に基づきインダクタＬ１に流れるインダクタ電流Ｉｉｎｄを制御するスイッチ部Ｓｗａと、を備える。光源制御部２０１は、光源が点灯される前に、抵抗Ｒ１及びスイッチ部Ｓｗｒ１を介してインダクタＬ１に蓄えられたエネルギを放出した後、スイッチ部Ｓｗａを介して定電流供給部３００からの電流に基づきインダクタ電流Ｉｉｎｄを目標値に制御する。
2020111038.tif 000002
【特許請求の範囲】
【請求項１】
電流を供給する電流供給部と、
前記電流供給部からの電流を受けて、それぞれ異なる色の光を発する複数の光源と、
前記光源に電流が供給される際にエネルギが蓄えられるエネルギ貯蓄部と、
光の反射する角度を制御する複数の反射部を有する表示素子と、
前記複数の光源のうち何れか一つの光源に前記電流供給部からの電流を供給することで前記光源を発光させ、発光する前記光源を順次切り替えるフィールドシーケンシャル方式にて前記複数の光源から発される光から所望の色の照明光を生成する光源制御部と、
前記反射部を通じて前記照明光のうち画像に対応した光を反射させる表示素子制御部と、
前記エネルギ貯蓄部に蓄えられたエネルギを放出するエネルギ放出部と、
前記電流供給部からの電流に基づき前記エネルギ貯蓄部に流れる電流を制御する電流設定部と、を備え、
前記光源制御部は、前記光源が点灯される前に、前記エネルギ放出部を介して前記エネルギ貯蓄部に蓄えられたエネルギを放出した後、前記電流設定部を介して前記電流供給部からの電流に基づき前記エネルギ貯蓄部に流れる電流を目標値に制御する、
表示装置。
【請求項２】
前記電流設定部は、前記光源に並列で接続され、前記光源制御部による制御のもと、前記エネルギ貯蓄部をグランドに接続するオン状態と前記エネルギ貯蓄部をグランドに接続しないオフ状態の間で切り替わる第１スイッチ部を備え、
前記エネルギ放出部は、
前記第１スイッチ部に並列で接続され、前記光源制御部による制御のもと、前記エネルギ貯蓄部をグランドに接続するオン状態と前記エネルギ貯蓄部をグランドに接続しないオフ状態の間で切り替わる第２スイッチ部と、
前記第２スイッチ部に直列に接続される抵抗と、を備え、
前記光源制御部は、前記光源が点灯される前に、前記第２スイッチ部をオン状態に切り替えることにより前記エネルギ貯蓄部に蓄えられたエネルギを放出した後、前記第２スイッチ部をオフ状態に切り替えつつ前記電流供給部から電流が供給された状態で前記第１スイッチ部をオン状態に切り替えることにより前記エネルギ貯蓄部に流れる電流を前記目標値に制御する、
請求項１に記載の表示装置。
【請求項３】
前記光源制御部は、点灯可能期間のうちオンデューティー期間において前記光源に電流を供給し、前記点灯可能期間のうち前記オンデューティー期間の後のオフデューティー期間において前記第１スイッチ部をオン状態に切り替えることにより前記電流供給部から前記エネルギ貯蓄部を経て前記第１スイッチ部に電流を流し、前記オフデューティー期間の経過後、前記第２スイッチ部をオン状態に切り替えることにより前記エネルギ貯蓄部に蓄えられたエネルギを放出する、
請求項２に記載の表示装置。
【発明の詳細な説明】
【技術分野】
【０００１】
本発明は、表示装置に関する。
【背景技術】
【０００２】
従来、表示装置として、赤色、緑色及び青色の光を発する３つの光源のうち何れか一つを選択的に発光させ、発光する光源を高速で切り替えることで所望の色の照明光を生成する、いわゆるフィールドシーケンシャル方式により動作するものが知られている。
例えば、特許文献１に記載の表示装置は、複数の光源と、光源に電流が供給される際に電荷が蓄えられるインダクタ等の電荷部と、次の光源を点灯する前にインダクタに蓄えられる電荷をグランドに放出する例えばＦＥＴ（Field Effect Transistor）により構成される電荷放出部と、を備える。この電荷放出部により、次の光源の点灯開始時に、光源に供給される電流にノイズとしてリップルが重畳することが抑制され、光源を低輝度時であっても所望の輝度で点灯させることができる。
【先行技術文献】
【特許文献】
【０００３】
【特許文献１】特開２０１７−１４６４０１号公報
【発明の概要】
【発明が解決しようとする課題】
【０００４】
上記特許文献１に記載の構成においては、次の光源の点灯開始時には、インダクタに流れる電流値は、点灯時に光源に供給されるべき目標の電流値に対して小さい。このため、インダクタに流れる電流値を目標の電流値に近づけるのに時間がかかり、これが表示品位の低下の一因となっていた。【０００５】
本発明は、上記実状を鑑みてなされたものであり、光源の点灯前にエネルギ貯蓄部に流れる電流を制御することができる表示装置を提供することを目的とする。
【課題を解決するための手段】
【０００６】
上記目的を達成するため、本発明の表示装置は、電流を供給する電流供給部と、前記電流供給部からの電流を受けて、それぞれ異なる色の光を発する複数の光源と、前記光源に電流が供給される際にエネルギが蓄えられるエネルギ貯蓄部と、光の反射する角度を制御する複数の反射部を有する表示素子と、前記複数の光源のうち何れか一つの光源に前記電流供給部からの電流を供給することで前記光源を発光させ、発光する前記光源を順次切り替えるフィールドシーケンシャル方式にて前記複数の光源から発される光から所望の色の照明光を生成する光源制御部と、前記反射部を通じて前記照明光のうち画像に対応した光を反射させる表示素子制御部と、前記エネルギ貯蓄部に蓄えられたエネルギを放出するエネルギ放出部と、前記電流供給部からの電流に基づき前記エネルギ貯蓄部に流れる電流を制御する電流設定部と、を備え、前記光源制御部は、前記光源が点灯される前に、前記エネルギ放出部を介して前記エネルギ貯蓄部に蓄えられたエネルギを放出した後、前記電流設定部を介して前記電流供給部からの電流に基づき前記エネルギ貯蓄部に流れる電流を目標値に制御する。
【発明の効果】
【０００７】
本発明によれば、光源の点灯前にエネルギ貯蓄部に流れる電流を制御することができる。
【図面の簡単な説明】
【０００８】
【図１】本発明の一実施形態に係るヘッドアップディスプレイ装置が搭載された車両の模式図である。
【図２】本発明の一実施形態に係るヘッドアップディスプレイ装置の構成を示す概略図である。
【図３】本発明の一実施形態に係る照明装置の構成を示す概略図である。
【図４】本発明の一実施形態に係る光源駆動装置の電気的構成を示すブロック図である。
【図５】図４の一部を示すブロック図である。
【図６】本発明の一実施形態に係る高輝度モードにおけるタイミングチャートである。
【図７】本発明の一実施形態に係る中輝度モードにおけるタイミングチャートである。
【図８】本発明の一実施形態に係る低輝度モードにおけるタイミングチャートである。
【図９】図８の一部を拡大したタイミングチャートである。
【図１０】本発明の変形例に係る光源駆動部の電気的構成を示すブロック図である。
【図１１】本発明の変形例に係る光源駆動部の電気的構成を示すブロック図である。
【発明を実施するための形態】
【０００９】
本発明に係る表示装置をヘッドアップディスプレイ装置（以下、ＨＵＤ装置と記載）に具体化した一実施形態について図面を参照して説明する。
【００１０】
図１に示すように、ＨＵＤ装置１は、車両２のダッシュボードに設置され、画像を表す表示光Ｌを生成し、生成した表示光Ｌをウインドシールド３に向けて出射する。この表示光Ｌは、ウインドシールド３で反射したうえで視認者４（例えば、車両２の運転者）に到達する。これにより、視認者４は、ウインドシールド３の前方に形成された画像を表す虚像Ｖを視認可能となる。虚像Ｖには、例えば、エンジン回転数、車速等の各種車両情報が表示される。
【００１１】
（ＨＵＤ装置１）
図２に示すように、ＨＵＤ装置１は、照明装置１０と、光強度検出部５００と、光源温度検出部６００と、照明光学系２０と、表示素子３０と、光源駆動装置５と、投射光学系４０と、スクリーン５０と、平面鏡６１と、凹面鏡６２と、凹面鏡駆動部６５と、筐体７０と、透光部７１と、備える。
【００１２】
筐体７０は、例えば、遮光性の材質により箱状に形成されている。筐体７０内には、照明装置１０、照明光学系２０等のＨＵＤ装置１の各構成が収納される。筐体７０には、表示光Ｌが通過する開口部７０ａが形成されている。
透光部７１は、アクリル等の透光性樹脂からなる湾曲板状により形成され、筐体７０の開口部７０ａを塞ぐように設けられている。
【００１３】
照明装置１０は、照明光Ｃを生成し、その生成した照明光Ｃを照明光学系２０に向けて出射する。具体的には、図３に示すように、照明装置１０は、光源群１１と、合波部１３と、輝度ムラ低減部１４と、透過膜１５と、を備える。
【００１４】
光源群１１は、例えば、それぞれＬＥＤ（Light Emitting Diode）からなる３つの光源１１ｒ，１１ｇ，１１ｂから構成されている。光源１１ｒは赤色光Ｒを発し、光源１１ｇは緑色光Ｇを発し、光源１１ｂは青色光Ｂを発する。光源１１ｒ，１１ｇ，１１ｂの各々は、光源駆動装置５によって駆動され、所定の光強度及びタイミングで発光する。
【００１５】
合波部１３は、光源１１ｒ，１１ｇ，１１ｂから順次出射される赤色光Ｒ、緑色光Ｇ又は青色光Ｂの光軸を合わせることで照明光Ｃを生成し、その生成した照明光Ｃを輝度ムラ低減部１４に向けて出射する。具体的には、合波部１３は、反射ミラー１３ａと、特定の波長の光を反射し、かつ、当該特定の波長以外のその他の波長の光を透過するダイクロイックミラー１３ｂ，１３ｃと、を備える。反射ミラー１３ａは、入射した青色光Ｂを、ダイクロイックミラー１３ｂに向けて反射させる。ダイクロイックミラー１３ｂは、入射した緑色光Ｇをダイクロイックミラー１３ｃに向けて反射させつつ、反射ミラー１３ａからの青色光Ｂをそのまま透過させる。ダイクロイックミラー１３ｃは、入射した赤色光Ｒを輝度ムラ低減部１４に向けて反射させつつ、ダイクロイックミラー１３ｂからの光Ｂ，Ｇをそのまま透過させる。これにより、ダイクロイックミラー１３ｃは、赤色光Ｒ、緑色光Ｇ又は青色光Ｂを合成した照明光Ｃを輝度ムラ低減部１４に向けて出射する。
【００１６】
輝度ムラ低減部１４は、ミラーボックス、アレイレンズ等からなり、合波部１３からの照明光Ｃを乱反射、散乱、屈折させることで光のムラを低減する。
透過膜１５は、例えば５％程度の反射率を有する透過性部材からなり、輝度ムラ低減部１４を介して到達した照明光Ｃの大部分をそのまま透過させるが、一部の光を光強度検出部５００に向けて反射させる。
【００１７】
光強度検出部５００は、例えばフォトダイオードを有する受光素子からなり、透過膜１５で反射した照明光Ｃを受ける位置に設けられている。光強度検出部５００は、照明光Ｃの一部を受光し、照明光Ｃを構成する光Ｒ、Ｇ、Ｂそれぞれの光強度を時分割で検出する。図４に示すように、光強度検出部５００は、その検出結果を光強度検出信号ＳＦＢとして光源駆動装置５の後述する第２の制御部２００に出力する。
光源温度検出部６００は、各光源１１ｒ，１１ｇ，１１ｂの温度を検出し、その検出結果を光源温度信号ＳＴとして光源駆動装置５の後述する第２の制御部２００に出力する。なお、光源温度検出部６００は、３つの光源１１ｒ，１１ｇ，１１ｂに対して１つ設けられていてもよいし、３つの光源１１ｒ，１１ｇ，１１ｂそれぞれに計３つ設けられていてもよい。
【００１８】
図２に示すように、照明光学系２０は、凹状のレンズ等からなり、照明装置１０から出射された照明光Ｃを表示素子３０に対応した大きさに調整する。
【００１９】
表示素子３０は、反射部の一例である複数の可動式のマイクロミラー３０ａを備えたＤＭＤ（Digital Micro-mirror Device）からなる。マイクロミラー３０ａは、図示しない電極を備え、この電極に印加される電圧値を切り替えることでオン及びオフの何れかの状態となる。マイクロミラー３０ａは、オンのときにヒンジを支点に例えば＋１２度傾斜した姿勢を取って、このとき照明光学系２０から出射された照明光Ｃを、投射光学系４０を経てスクリーン５０に向けて反射する。マイクロミラー３０ａは、オフのときにヒンジを支点に例えば−１２度傾斜した姿勢を取って、このとき照明光Ｃを投射光学系４０とは異なる方向に反射する。従って、表示素子３０は、光源駆動装置５の後述する第２の制御部２００による制御のもと、各マイクロミラー３０ａを個別に駆動することにより、照明光Ｃのうち画像Ｍに対応する光のみを投射光学系４０に向けて投射する。
【００２０】
図２に示すように、投射光学系４０は、凹レンズ又は凸レンズ等で構成され、表示素子３０からの表示光Ｌをスクリーン５０に効率良く投射する。
スクリーン５０は、ホログラフィックディフューザ、マイクロレンズアレイ、拡散板等から構成され、投射光学系４０からの表示光Ｌを背面（図２中下側の面）で受光し、前面（図２中上側の面）に画像Ｍを表示する。
【００２１】
平面鏡６１は、スクリーン５０に表示された画像Ｍを表す表示光Ｌを、凹面鏡６２に向けて反射させる。凹面鏡６２は、平面鏡６１からの表示光Ｌをウインドシールド３に向けて反射する。表示光Ｌは、筐体７０の透光部７１を透過したうえでウインドシールド３にて視認者４に向けて反射する。
【００２２】
凹面鏡駆動部６５は、何れも図示しない、モータと、モータの駆動力を凹面鏡６２に伝達する歯車機構を備える。凹面鏡駆動部６５は、図２の紙面垂直方向に延びる回転軸Ａｘを中心に凹面鏡６２を回転させる。凹面鏡６２が回転軸Ａｘを中心に回転することにより、視認者４に対する表示光Ｌの照射位置を高さ方向に調整することができる。
【００２３】
（光源駆動装置５）
図４に示すように、光源駆動装置５は、光源群１１に定電流を供給する定電流供給部３００と、インダクタＬ１と、光源群１１を駆動させる光源駆動部４３と、表示素子３０等を制御する第２の制御部２００と、凹面鏡駆動部６５等を制御する第１の制御部１００と、を備える。第１及び第２の制御部１００，２００は制御部の一例であり、インダクタＬ１はエネルギ貯蓄部の一例である。
【００２４】
定電流供給部３００は、図示しない車載バッテリからの電力に基づき定電流を生成する定電流ドライバＩＣ（Integrated Circuit）からなり、第２の制御部２００により制御される。
定電流供給部３００は、第２の制御部２００から定電流供給部３００をオンする旨のイネーブル信号ＤＲＶ＿ＥＮを受けると、第２の制御部２００からの電流値調整信号ＩＡＤＪに応じた値の定電流を光源駆動部４３に供給する。
定電流供給部３００は、第２の制御部２００から定電流供給部３００をオフする旨のイネーブル信号ＤＲＶ＿ＥＮを受けると、定電流の供給を停止する。
インダクタＬ１は、定電流供給部３００と光源群１１の間に接続されている。
【００２５】
光源駆動部４３は、スイッチ部Ｓｗｒ，Ｓｗｇ，Ｓｗｂ，Ｓｗｃ，Ｓｗａ，Ｓｗｒ１と、抵抗Ｒ１と、コンデンサＣ１と、電圧検出部４９と、を備える。
スイッチ部Ｓｗｒ，Ｓｗｇ，Ｓｗｂ，Ｓｗｃ，Ｓｗａ，Ｓｗｒ１は、例えば、ｎ型チャネルのＦＥＴ（Field Effect Transistor）からなり、第２の制御部２００による制御のもと、オン状態（閉状態）とオフ状態（開状態）の間で切り替わる。
スイッチ部Ｓｗｒは光源１１ｒに直列に光源１１ｒとグランドの間に接続される。スイッチ部Ｓｗｇは光源１１ｇに直列に光源１１ｇとグランドの間に接続される。スイッチ部Ｓｗｂは光源１１ｂに直列に光源１１ｂとグランドの間に接続される。スイッチ部ＳｗｃとコンデンサＣ１は直列に接続される。スイッチ部Ｓｗｒ１と抵抗Ｒ１は直列に接続される。
スイッチ部Ｓｗｒと、スイッチ部Ｓｗｇと、スイッチ部Ｓｗｂと、コンデンサＣ１及びスイッチ部Ｓｗｃと、スイッチ部Ｓｗａと、抵抗Ｒ１及びスイッチ部Ｓｗｃとは、互いに並列に接続されている。また、各スイッチ部Ｓｗｒ，Ｓｗｇ，Ｓｗｂ，Ｓｗｃ，Ｓｗａ，Ｓｗｒ１のゲート端子は第２の制御部２００に接続されている。
【００２６】
スイッチ部Ｓｗｒ，Ｓｗｇ，Ｓｗｂは、オン状態に切り替わることにより、対応する光源１１ｒ，１１ｇ，１１ｂに定電流供給部３００からの電流を流し、対応する光源１１ｒ，１１ｇ，１１ｂを点灯させる。スイッチ部Ｓｗｒ，Ｓｗｇ，Ｓｗｂは、オフ状態に切り替わることにより、定電流供給部３００から対応する光源１１ｒ，１１ｇ，１１ｂへの電流を遮断し、対応する光源１１ｒ，１１ｇ，１１ｂを消灯する。
スイッチ部Ｓｗａは、オン状態に切り替わることで、定電流供給部３００からインダクタＬ１に流れるインダクタ電流Ｉｉｎｄを目標値に制御する機能を有する。スイッチ部Ｓｗｒ１は、オン状態に切り替わることで、インダクタＬ１に蓄えられたエネルギを外部に放出する機能を有する。抵抗Ｒ１は、インダクタＬ１に蓄えられたエネルギを外部に放出する際にスイッチ部Ｓｗｒ１に大電流が流れることを抑制する機能と、スイッチ部Ｓｗａがオン状態に切り替わった際にインダクタＬ１に流れるインダクタ電流Ｉｉｎｄを調整する機能を有する。
スイッチ部Ｓｗｃは、オン状態に切り替わることで定電流供給部３００からコンデンサＣ１に電流を流すことにより、後述するパルス波Ｐ１，Ｐ２，Ｐ３，Ｐ４の立ち上がり部分の傾きを調整する機能を有する。
電圧検出部４９は、グランドとスイッチ部Ｓｗｒ，Ｓｗｇ，Ｓｗｂ，Ｓｗｃ，Ｓｗａ，Ｓｗｒ１の間に接続され、電圧検出信号ＳＶを検出したうえで第２の制御部２００に出力する。
【００２７】
図４に示すように、第１の制御部１００は、ＣＰＵ（Central Processing Unit)、メモリ等を備えるマイクロコントローラからなり、凹面鏡駆動部６５を制御する。第１の制御部１００には、照度センサ７を通じて検出された車両２の周辺の外部照度信号（調光信号）ＳＬが入力される。第１の制御部１００は、入力された調光信号ＳＬを第２の制御部２００、正確には後述する比較部２０４に出力する。
【００２８】
第２の制御部２００は、所望の機能をハードウェアで実現するＬＳＩ（Large Scale Integration）であり、例えば、ＡＳＩＣ（Application Specific Integrated Circuit）やＦＰＧＡ（Field Programmable Gate Array）などから構成されている。
第２の制御部２００には、映像信号入力部７００から画像Ｍを表示するための映像信号ＳＥ、光源温度検出部６００により検出された光源温度信号ＳＴ、電圧検出部４９により検出された電圧検出信号ＳＶ及び光強度検出部５００により検出された光強度検出信号ＳＦＢが入力される。
第２の制御部２００は、光源温度信号ＳＴに基づき光源１１ｒ，１１ｇ，１１ｂに供給する電流と輝度の関係を温度補正し、電圧検出信号ＳＶに基づき光源駆動部４３に供給される電流値を認識する。
【００２９】
第２の制御部２００は、光源制御部２０１と、表示素子制御部２０２と、電流供給制御部２０３と、比較部２０４と、を備える。
表示素子制御部２０２は、映像信号ＳＥに基づき、表示素子３０における各ミラー３０ａをＰＷＭ（Pulse Width Modulation）方式によりオン／オフ制御する。
比較部２０４は、調光信号ＳＬに基づき閾値を決定し、決定した閾値と光強度検出信号ＳＦＢを比較し、その比較結果を示す比較信号ＳＢを電流供給制御部２０３に出力する。
【００３０】
電流供給制御部２０３は定電流供給部３００を制御する。詳しくは、電流供給制御部２０３は、電流値調整信号ＩＡＤＪとイネーブル信号ＤＲＶ＿ＥＮを定電流供給部３００に出力する。
電流値調整信号ＩＡＤＪは、定電流供給部３００の出力電流値を目標値に制御するための信号である。イネーブル信号ＤＲＶ＿ＥＮは定電流供給部３００のオン及びオフを切り替えるための信号である。
【００３１】
光源制御部２０１は、表示素子制御部２０２による画像制御と同期させつつスイッチ部Ｓｗｒ，Ｓｗｇ，Ｓｗｂ，Ｓｗｃ，Ｓｗａ，Ｓｗｒ１を制御するために、イネーブル信号Ｒ＿ＥＮ，Ｇ＿ＥＮ，Ｂ＿ＥＮ，Ｓ＿ＥＮ１，Ｓ＿ＥＮ２，Ｃ＿ＥＮ２をスイッチ部Ｓｗｒ，Ｓｗｇ，Ｓｗｂ，Ｓｗｃ，Ｓｗａ，Ｓｗｒ１に出力する。
イネーブル信号Ｒ＿ＥＮ，Ｇ＿ＥＮ，Ｂ＿ＥＮ，Ｓ＿ＥＮ１，Ｓ＿ＥＮ２，Ｃ＿ＥＮ２は、スイッチ部Ｓｗｒ，Ｓｗｇ，Ｓｗｂ，Ｓｗｃ，Ｓｗａ，Ｓｗｒ１をオン状態とするＨｉとスイッチ部Ｓｗｒ，Ｓｗｇ，Ｓｗｂ，Ｓｗｃ，Ｓｗａ，Ｓｗｒ１をオフ状態とするＬｏとの間で変化する。
光源制御部２０１は、光源１１ｒに対応するイネーブル信号Ｒ＿ＥＮをスイッチ部Ｓｗｒに出力し、光源１１ｇに対応するイネーブル信号Ｇ＿ＥＮをスイッチ部Ｓｗｇに出力し、光源１１ｂに対応するイネーブル信号Ｂ＿ＥＮをスイッチ部Ｓｗｂに出力する。また、光源制御部２０１は、イネーブル信号Ｓ＿ＥＮ１をスイッチ部Ｓｗａに出力し、イネーブル信号Ｓ＿ＥＮ２をスイッチ部Ｓｗｒ１に出力し、イネーブル信号Ｃ＿ＥＮ２をスイッチ部Ｓｗｃに出力する。
光源制御部２０１によるスイッチ部Ｓｗｒ，Ｓｗｇ，Ｓｗｂ，Ｓｗｃ，Ｓｗａ，Ｓｗｒ１の制御態様については後述する。
【００３２】
なお、第１の制御部１００の制御内容の一部を、第２の制御部２００が実行してもよいし、反対に、第２の制御部２００の制御内容の一部を、第１の制御部１００が実行してもよい。また、第１及び第２の制御部１００，２００は一つの制御部として構成されてもよい。
【００３３】
次に、第２の制御部２００は、調光信号ＳＬに基づき、高輝度モード、中輝度モード及び低輝度モードの何れかのモードに移行する。第２の制御部２００は、調光信号ＳＬが第１閾値以下であるときには低輝度モードに移行し、調光信号ＳＬが第１閾値を超え、かつ、第２閾値未満であるときには中輝度モードに移行し、調光信号ＳＬが第２閾値以上であるときには高輝度モードに移行する。第１閾値は、表示光Ｌの光度が８００カンデラ（ｃｄ／ｍ２）となるときの閾値である。第２閾値は、表示光Ｌの光度が４０００カンデラ（ｃｄ／ｍ２）となるときの閾値である。
以下、高輝度モード、中輝度モード及び低輝度モードの動作について順に説明する。
【００３４】
（高輝度モード）
図６のタイミングチャートを参照しつつ、高輝度モードにおける光源駆動装置５の動作について説明する。このタイミングチャートは、ＨＵＤ装置１の動作電源がオンされたときに開始される。
高輝度モードにおいては、オフ期間Ｔｏｆ→準備期間Ｔｂ→点灯可能期間Ｔｄを経て、以降、高輝度モードが継続する限り、準備期間Ｔｂ及び点灯可能期間Ｔｄが繰り返される。点灯可能期間Ｔｄとしては、光源１１ｒを点灯可能な点灯可能期間Ｔｄ、光源１１ｇを点灯可能な点灯可能期間Ｔｄ及び光源１１ｂを点灯可能な点灯可能期間Ｔｄが順に設定される。
なお、第２の制御部２００は、図６には図示しないが、光源１１ｒを点灯可能な点灯可能期間Ｔｄにおいては、イネーブル信号Ｒ＿ＥＮをＨｉに維持するとともにイネーブル信号Ｇ＿ＥＮ，Ｂ＿ＥＮをＬｏに維持する。また、光源１１ｇを点灯可能な点灯可能期間Ｔｄにおいては、イネーブル信号Ｇ＿ＥＮをＨｉに維持するとともにイネーブル信号Ｒ＿ＥＮ，Ｂ＿ＥＮをＬｏに維持する。光源１１ｂを点灯可能な点灯可能期間Ｔｄにおいては、イネーブル信号Ｂ＿ＥＮをＨｉに維持するとともにイネーブル信号Ｒ＿ＥＮ，Ｇ＿ＥＮをＬｏに維持する。
【００３５】
図６のタイミングチャートの開始時において、スイッチ部Ｓｗｒ，Ｓｗｇ，Ｓｗｂ，Ｓｗｃ，Ｓｗａ，Ｓｗｒ１はオフ状態にある。第２の制御部２００は、オフ期間Ｔｏｆ（例えば、時刻ｔ１）においては、イネーブル信号Ｓ＿ＥＮ１をＨｉとすることによりスイッチ部Ｓｗａをオン状態とする。これにより、図５の矢印Ｙ１に示すように、インダクタＬ１に残存するエネルギは、電流としてスイッチ部Ｓｗａを介してグランドに流れる。よって、インダクタＬ１のインダクタ電流Ｉｉｎｄがゼロに維持される。
【００３６】
次に、第２の制御部２００は、準備期間Ｔｂ（例えば、時刻ｔ２）においては、イネーブル信号ＤＲＶ＿ＥＮをＨｉに切り替え、かつ電流値調整信号ＩＡＤＪを定電流供給部３００に出力することにより定電流供給部３００から電流を供給する。このとき、図５の矢印Ｙ１に示すように、定電流供給部３００から電流はスイッチ部Ｓｗａを介してグランドに流れる。これにより、インダクタＬ１のインダクタ電流Ｉｉｎｄが目標値まで増加する。この目標値は、次の点灯可能期間Ｔｄにおいて光源１１ｒ，１１ｇ，１１ｂに供給される電流値に基づき設定され、点灯可能期間Ｔｄ毎に設定される。すなわち、第２の制御部２００は、次の点灯可能期間Ｔｄにおいて光源１１ｒ，１１ｇ，１１ｂに供給される電流値に基づき目標値を設定し、インダクタ電流Ｉｉｎｄが設定した目標値となるように電流値調整信号ＩＡＤＪを通じて定電流供給部３００を通じて定電流を供給する。
抵抗Ｒ１は、準備期間Ｔｂの開始時点でのインダクタ電流Ｉｉｎｄを設定することができ、これによりインダクタ電流Ｉｉｎｄの制御精度を向上させることができる。
【００３７】
第２の制御部２００は、点灯可能期間Ｔｄ（例えば、時刻ｔ３）においては、定電流供給部３００から定電流を供給した状態を維持しつつ、イネーブル信号Ｓ＿ＥＮ１をＬｏとすることによりスイッチ部Ｓｗａをオフ状態に切り替え、イネーブル信号Ｒ＿ＥＮをＨｉとすることによりスイッチ部Ｓｗｒをオン状態に切り替える。これにより、図５の矢印Ｙ４に示すように、定電流供給部３００からの電流は光源１１ｒ及びスイッチ部Ｓｗｒを介してグランドに流れる。よって、光源１１ｒは点灯する。このとき、光源１１ｒに供給される電流値Ｉは、準備期間Ｔｂの終了時のインダクタ電流Ｉｉｎｄと同等である。このため、光源１１ｒを所望の輝度で点灯させることができる。また、光源１１ｒに供給される電流値Ｉは矩形波Ｒｗをなす。
高輝度モードにおいては、点灯可能期間Ｔｄに占める光源１１ｒに電流が供給される期間の割合であるデューティー比は１００％である。
【００３８】
点灯可能期間Ｔｄにおいて、電流供給制御部２０３は、比較部２０４を通じて光強度検出信号ＳＦＢが閾値以上であると判定された場合、すなわち、比較信号ＳＢがＬｏとなった場合、定電流供給部３００をオフする旨のイネーブル信号ＤＲＶ＿ＥＮを定電流供給部３００に出力する。定電流供給部３００は、定電流供給部３００をオフする旨のイネーブル信号ＤＲＶ＿ＥＮを受けると、電流の供給を停止する。これにより、光源１１ｒが消灯し、光強度検出信号ＳＦＢが閾値未満、すなわち、比較信号ＳＢがＨｉとなる。
一方、電流供給制御部２０３は、比較部２０４を通じて光強度検出信号ＳＦＢが閾値未満であると判定された場合、すなわち、光強度検出信号ＳＦＢがＨｉとなった場合、定電流供給部３００をオンする旨のイネーブル信号ＤＲＶ＿ＥＮを定電流供給部３００に出力する。定電流供給部３００は、定電流供給部３００をオンする旨のイネーブル信号ＤＲＶ＿ＥＮを受けると、光源１１ｒに電流を供給する。これにより、光源１１ｒが点灯し、光強度検出信号ＳＦＢが閾値以上、すなわち、比較信号ＳＢがＬｏとなる。
このように、点灯可能期間Ｔｄにおいて、光強度検出信号ＳＦＢが閾値に近づくように、イネーブル信号ＤＲＶ＿ＥＮがＨｉ及びＬｏの間で周期的に変化し、これにより、矩形波Ｒｗが形成される。
【００３９】
次に、第２の制御部２００は、点灯可能期間Ｔｄの経過後、準備期間Ｔｂの前半期間（例えば、時刻ｔ４）においては、イネーブル信号ＤＲＶ＿ＥＮをＬｏに切り替えることにより定電流供給部３００からの電流供給を停止し、かつイネーブル信号Ｓ＿ＥＮ２をＨｉとすることによりスイッチ部Ｓｗｒ１をオン状態に切り替える。これにより、前の点灯可能期間ＴｄにおいてインダクタＬ１に蓄えられたエネルギは、図５の矢印Ｙ３に示すように、電流として抵抗Ｒ１及びスイッチ部Ｓｗｒ１を介してグランドに流れる。よって、インダクタＬ１のインダクタ電流Ｉｉｎｄが減少する。この際、抵抗Ｒ１は、インダクタ電流Ｉｉｎｄの減少速度すなわち減少時の傾きを調整することができる。抵抗Ｒ１の抵抗値を小さくするほど、インダクタ電流Ｉｉｎｄの減少速度及び減少時の傾きが大きくなる。また、抵抗Ｒ１の抵抗値は、インダクタＬ１に蓄えられたエネルギを外部に放出する際にスイッチ部Ｓｗｒ１に大電流が流れることを抑制し、これによりスイッチ部Ｓｗｒ１の発熱を抑制できるように、かつ、インダクタＬ１に蓄えられたエネルギが電流として定電流供給部３００に逆流することを抑制できるように設定される。
【００４０】
次に、第２の制御部２００は、準備期間Ｔｂの後半期間（例えば、時刻ｔ５）においては、上記時刻ｔ２と同様の処理を実行する。これにより、インダクタＬ１のインダクタ電流Ｉｉｎｄが目標値まで増加する。
以降、上記と同様に、点灯可能期間Ｔｄ及び準備期間Ｔｂが交互に繰り返される。高輝度モードは、ＨＵＤ装置１の動作電源がオフされたとき、又は他のモードに移行されたときに終了となる。
以上で、高輝度モードの説明を終了する。
【００４１】
（中輝度モード）
図７のタイミングチャートを参照しつつ、中輝度モードにおける光源駆動装置５の動作について説明する。
中輝度モードにおいては、点灯可能期間Ｔｄに占める光源１１ｒ，１１ｇ，１１ｂに電流が供給される期間の割合であるデューティー比は、１００％未満、例えば、２０％〜４０％である。以下、高輝度モードとの相違点を中心に説明する。
【００４２】
図７に示すように、第２の制御部２００は、高輝度モードと同様に、点灯可能期間Ｔｄの光源１１ｒ，１１ｇ，１１ｂに電流が供給されるオンデューティー期間Ｔｏｎ（例えば、時刻ｔ３）において、定電流供給部３００から定電流を供給した状態を維持し、イネーブル信号Ｒ＿ＥＮをオンすることによりスイッチ部Ｓｗｒをオン状態に切り替える。これにより、光源１１ｒには矩形波Ｒｗの電流が供給され、光源１１ｒは点灯する。
その後、第２の制御部２００は、点灯可能期間Ｔｄにおける光源１１ｒ，１１ｇ，１１ｂに電流が供給されないオフデューティー期間Ｔｏｄ（例えば時刻ｔ３ａ）においては、イネーブル信号ＤＲＶ＿ＥＮをＨｉに維持して、イネーブル信号Ｓ＿ＥＮ１をＨｉとすることによりスイッチ部Ｓｗａをオン状態とする。これにより、図５の矢印Ｙ１に示すように、定電流供給部３００からの電流はスイッチ部Ｓｗａを介してグランドに流れる。よって、オフデューティー期間Ｔｏｄであっても、インダクタ電流Ｉｉｎｄが目標値に維持される。
そして、第２の制御部２００は、次の準備期間Ｔｂ（例えば、時刻ｔ４）においては、上述した高輝度モードと同様に、スイッチ部Ｓｗｒ１をオン状態に切り替えることにより、インダクタＬ１に蓄えられたエネルギを電流として抵抗Ｒ１及びスイッチ部Ｓｗｒ１を介してグランドに放出する。点灯可能期間Ｔｄのオフデューティー期間Ｔｏｄにおいてインダクタ電流Ｉｉｎｄが目標値に維持されることにより、準備期間ＴｂにおいてインダクタＬ１は蓄えられたエネルギを短時間で放出することができる。
以上で、中輝度モードの説明を終了する。
【００４３】
（低輝度モード）
図８のタイミングチャートを参照しつつ、低輝度モードにおける光源駆動装置５の動作について説明する。このタイミングチャートは、ＨＵＤ装置１の動作電源がオンされたときに開始される。
低輝度モードにおいては、オフ期間Ｔｏｆ→光源１１ｒを点灯可能な点灯可能期間Ｔｄｒ→光源１１ｇを点灯可能な点灯可能期間Ｔｄｇ→オフ期間Ｔｏｆ→光源１１ｂを点灯可能な点灯可能期間Ｔｄｂの順で繰り返される。
【００４４】
第２の制御部２００は、オフ期間Ｔｏｆ（例えば、時刻ｔａ）においては、上述した高輝度モードのオフ期間Ｔｏｆと同様に、イネーブル信号Ｓ＿ＥＮ１をＨｉとすること、すなわち、スイッチ部Ｓｗａをオン状態とすることにより、インダクタＬ１に残存するエネルギを放出する。
【００４５】
そして、第２の制御部２００は、点灯可能期間Ｔｄｒにおいては、光源１１ｒに電流を三角波であるパルス波Ｐ１，Ｐ２，Ｐ３として供給する。
詳しくは、第２の制御部２００は、図９に示すように、点灯可能期間Ｔｄｒ（例えば、時刻ｔｂ）において、イネーブル信号Ｃ＿ＥＮ２をＨｉとすることによりスイッチ部Ｓｗｃをオン状態とするとともに、イネーブル信号ＤＲＶ＿ＥＮをＨｉに切り替え、かつ電流値調整信号ＩＡＤＪを定電流供給部３００に出力することにより定電流供給部３００から電流を供給する。このとき、スイッチ部Ｓｗｃがオン状態に切り替えられても、スイッチ部Ｓｗａはオン状態に維持されている。このため、図５の矢印Ｙ１に示すように、定電流供給部３００から電流はスイッチ部Ｓｗａを介してグランドに流れ、コンデンサＣ１には電流が流れない。このとき、インダクタ電流Ｉｉｎｄは目標値に調整され、光源１１ｒ，１１ｇ，１１ｂは消灯している。
【００４６】
そして、第２の制御部２００は、点灯可能期間Ｔｄｒにおけるパルス波Ｐ１の電流を供給する前（例えば、時刻ｔｃ）、イネーブル信号Ｓ＿ＥＮ１をＬｏとすることによりスイッチ部Ｓｗａをオフ状態とする。このとき、図５の矢印Ｙ１の電流は遮断され、図５の矢印Ｙ５に示すように、定電流供給部３００から電流はコンデンサＣ１及びスイッチ部Ｓｗｃを介してグランドに流れる。これにより、コンデンサＣ１にはエネルギがチャージされる。
【００４７】
コンデンサＣ１が満充電状態に近づくと、コンデンサＣ１に流れる電流値が小さくなり、光源１１ｒに供給される電流値Ｉが増加する。これにより、パルス波Ｐ１の立ち上がり部分の波形が形成される。コンデンサＣ１により、光源１１ｒの順方向電圧の増加の傾き、及びパルス波Ｐ１の立ち上がり部分の傾きを調整することができる。
【００４８】
そして、図９に示すように、電流値Ｉがターゲット値Ｔｇｔに到達したときに比較信号ＳＢがＬｏとなる。第２の制御部２００は、比較信号ＳＢがＬｏとなった時刻ｔｄにおいて、イネーブル信号Ｓ＿ＥＮ１をＨｉとすることによりスイッチ部Ｓｗａをオン状態とする。このとき、図５の矢印Ｙ１に示すように、定電流供給部３００からの電流はスイッチ部Ｓｗａを介してグランドに流れ、光源１１ｒに供給される電流値Ｉが減少する。これにより、パルス波Ｐ１の立ち下がり部分の波形が形成される。
図８に示すように、第２の制御部２００は、上述のようにパルス波Ｐ１を発生させた後、パルス波Ｐ１と同様に、パルス波Ｐ２，Ｐ３を発生させる。
【００４９】
そして、第２の制御部２００は、点灯可能期間Ｔｄｒの後、点灯可能期間Ｔｄｇにおいては、光源１１ｇに供給される電流値Ｉによりパルス波Ｐ４を発生させる。パルス波Ｐ４におけるターゲット値Ｔｇｔは、上述したパルス波Ｐ１におけるターゲット値Ｔｇｔよりも小さい。この点を除き、パルス波Ｐ４は、パルス波Ｐ１と同様の手法により発生される。
次に、第２の制御部２００は、上述したオフ期間Ｔｏｆと同様のオフ期間Ｔｏｆを経て、点灯可能期間Ｔｄｂにおいては、本例では、パルス波を発生させない。しかしながら、点灯可能期間Ｔｄｂにおいても光源１１ｂに電流をパルス波として供給させてもよい。
以上で、低輝度モードの説明を終了する。
【００５０】
（効果）
以上、説明した一実施形態によれば、以下の効果を奏する。
【００５１】
（１−１）表示装置の一例であるＨＵＤ装置１は、電流を供給する電流供給部の一例である定電流供給部３００と、定電流供給部３００からの電流を受けて、それぞれ異なる色の光Ｒ，Ｇ，Ｂを発する複数の光源１１ｒ，１１ｇ，１１ｂと、各光源１１ｒ，１１ｇ，１１ｂに電流が供給される際にエネルギが蓄えられるエネルギ貯蓄部の一例であるインダクタＬ１と、光の反射する角度を制御する複数の反射部の一例であるマイクロミラー３０ａを有する表示素子３０と、複数の光源１１ｒ，１１ｇ，１１ｂのうち何れか一つに定電流供給部３００からの電流を供給することで何れか一つの光源１１ｒ，１１ｇ，１１ｂを発光させ、発光する光源１１ｒ，１１ｇ，１１ｂを順次切り替えるフィールドシーケンシャル方式にて複数の光源１１ｒ，１１ｇ，１１ｂから発される光Ｒ，Ｇ，Ｂから所望の色の照明光Ｃを生成する光源制御部２０１と、マイクロミラー３０ａを通じて照明光Ｃのうち画像Ｍに対応した表示光Ｌを反射させる表示素子制御部２０２と、インダクタＬ１に蓄えられたエネルギを放出するエネルギ放出部の一例である抵抗Ｒ１及びスイッチ部Ｓｗｒ１と、定電流供給部３００からの電流に基づきインダクタＬ１に流れるインダクタ電流Ｉｉｎｄを制御する電流設定部の一例であるスイッチ部Ｓｗａと、を備える。光源制御部２０１は、光源１１ｒ，１１ｇ，１１ｂが点灯される前に、抵抗Ｒ１及びスイッチ部Ｓｗｒ１を介してインダクタＬ１に蓄えられたエネルギを放出した後、スイッチ部Ｓｗａを介して定電流供給部３００からの電流に基づきインダクタ電流Ｉｉｎｄを目標値に制御する。この目標値は、光源１１ｒ，１１ｇ，１１ｂを点灯させる際に供給される電流値に基づき設定される。
この構成によれば、インダクタ電流Ｉｉｎｄは、光源１１ｒ，１１ｇ，１１ｂの点灯前に目標値に制御されるため、その後、光源１１ｒ，１１ｇ，１１ｂを点灯させる際に所望値に迅速に到達させることができる。これにより、画像Ｍの輝度が低下することや画像Ｍのグラデーションが悪化することが抑制され、表示品位を向上させることができる。
【００５２】
（１−２）電流設定部は、光源１１ｒ，１１ｇ，１１ｂに並列で接続され、光源制御部２０１による制御のもと、インダクタＬ１をグランドに接続するオン状態とインダクタＬ１をグランドに接続しないオフ状態の間で切り替わる第１スイッチ部の一例であるスイッチ部Ｓｗａを備える。エネルギ放出部は、スイッチ部Ｓｗａに並列で接続され、光源制御部２０１による制御のもと、インダクタＬ１をグランドに接続するオン状態とインダクタＬ１をグランドに接続しないオフ状態の間で切り替わる第２スイッチ部の一例であるスイッチ部Ｓｗｒ１と、スイッチ部Ｓｗｒ１に直列に接続される抵抗Ｒ１と、を備える。光源制御部２０１は、光源１１ｒ，１１ｇ，１１ｂが点灯される前に、スイッチ部Ｓｗｒ１をオン状態に切り替えることによりインダクタＬ１に蓄えられたエネルギを放出した後、スイッチ部Ｓｗｒ１をオフ状態に切り替えつつ定電流供給部３００から電流が供給された状態でスイッチ部Ｓｗａをオン状態に切り替えることによりインダクタ電流Ｉｉｎｄを目標値に制御する。
この構成によれば、簡易な構成及び制御で、インダクタＬ１のエネルギを放出した後にインダクタ電流Ｉｉｎｄを目標値に制御することができる。
また、インダクタＬ１のエネルギを放出するためのスイッチ部Ｓｗｒ１とインダクタ電流Ｉｉｎｄを目標値に制御するためのスイッチ部Ｓｗａが使い分けられることにより、スイッチ部Ｓｗａ，Ｓｗｒ１の電流による発熱を抑制することができる。
【００５３】
（１−３）光源制御部２０１は、点灯可能期間Ｔｄのうちオンデューティー期間Ｔｏｎ（例えば、図７の時刻ｔ３）において光源１１ｒ，１１ｇ，１１ｂに電流を供給し、点灯可能期間Ｔｄのうちオンデューティー期間Ｔｏｎの後のオフデューティー期間Ｔｏｄ（例えば、図７の時刻ｔ３ａ）においてスイッチ部Ｓｗａをオン状態に切り替えることにより定電流供給部３００からインダクタＬ１を経てスイッチ部Ｓｗａに電流を流し、オフデューティー期間Ｔｏｄの後、スイッチ部Ｓｗｒ１をオン状態に切り替えることによりインダクタＬ１に蓄えられたエネルギを放出する。
この構成によれば、オフデューティー期間Ｔｏｄにおいてインダクタ電流Ｉｉｎｄが目標値に維持される。このため、インダクタＬ１の性質上、オフデューティー期間Ｔｏｄの後の準備期間Ｔｂにおいて、インダクタＬ１に蓄えられたエネルギは短時間で放出可能となる。
【００５４】
（２−１）表示装置の一例であるＨＵＤ装置１は、電流を供給する定電流供給部３００と、定電流供給部３００からの電流を受けて、それぞれ異なる色の光Ｒ，Ｇ，Ｂを発する複数の光源１１ｒ，１１ｇ，１１ｂと、光の反射する角度を制御する複数のマイクロミラー３０ａを有する表示素子３０と、複数の光源１１ｒ，１１ｇ，１１ｂのうち何れか一つに定電流供給部３００からの電流をパルス波Ｐ１，Ｐ２，Ｐ３，Ｐ４又は矩形波Ｒｗとして供給することで何れか一つの光源１１ｒ，１１ｇ，１１ｂを発光させ、発光する光源１１ｒ，１１ｇ，１１ｂを順次切り替えるフィールドシーケンシャル方式にて複数の光源１１ｒ，１１ｇ，１１ｂから発される光Ｒ，Ｇ，Ｂから所望の色の照明光Ｃを生成する光源制御部２０１と、マイクロミラー３０ａを通じて照明光Ｃのうち画像Ｍに対応した表示光Ｌを反射させる表示素子制御部２０２と、定電流供給部３００とグランドの間であって光源に並列に接続されるパルス波Ｐ１，Ｐ２，Ｐ３，Ｐ４の立ち上がり部分の傾きを小さくするコンデンサＣ１と、コンデンサＣ１に直列に接続されるコンデンサスイッチ部の一例であるスイッチ部Ｓｗｃと、を備える。光源制御部２０１は、定電流供給部３００からの電流をパルス波Ｐ１，Ｐ２，Ｐ３，Ｐ４として光源１１ｒ，１１ｇ，１１ｂに供給する際にはスイッチ部Ｓｗｃをオン状態とし、定電流供給部３００からの電流を矩形波Ｒｗとして光源１１ｒ，１１ｇ，１１ｂに供給する際にはスイッチ部Ｓｗｃをオフ状態とする。
この構成によれば、スイッチ部Ｓｗｃがオン状態とされることで、コンデンサＣ１はパルス波Ｐ１，Ｐ２，Ｐ３，Ｐ４の立ち上がり部分の傾きを小さくすることができる。これにより、光源１１ｒ，１１ｇ，１１ｂに供給される電流値Ｉがターゲット値Ｔｇｔを超えるオーバーシュートが発生することを抑制できる。従って、画像Ｍの輝度が低下することや画像Ｍのグラデーションが悪化することが抑制され、表示品位を向上させることができる。
また、スイッチ部Ｓｗｃがオフ状態とされることで、コンデンサＣ１には電流が流れないため、コンデンサＣ１により矩形波Ｒｗの立ち上がりが遅延することが抑制される。
以上のように、スイッチ部ＳｗｃによりコンデンサＣ１を有効としたり無効としたりできる。このため、光源１１ｒ，１１ｇ，１１ｂを所望の輝度で点灯させることができる。
【００５５】
（２−２）光源制御部２０１は、高輝度モードにおいてはスイッチ部Ｓｗｃをオフ状態に維持しつつ定電流供給部３００からの電流を矩形波Ｒｗとして光源１１ｒ，１１ｇ，１１ｂに供給し、低輝度モードにおいては光源１１ｒ，１１ｇ，１１ｂを点灯可能な点灯可能期間Ｔｄにわたってスイッチ部Ｓｗｃをオン状態に維持しつつ定電流供給部３００からの電流をパルス波Ｐ１，Ｐ２，Ｐ３，Ｐ４として光源１１ｒ，１１ｇ，１１ｂに供給する。
この構成によれば、高輝度モードにおいてはスイッチ部Ｓｗｃがオフ状態となるため、コンデンサＣ１が機能しない。このため、高輝度モードにおいて、コンデンサＣ１により光源１１ｒ，１１ｇ，１１ｂに供給される電流値Ｉの立ち上がりが遅延することが抑制され、高輝度を実現することができる。一方、低輝度モードにおいてはスイッチ部Ｓｗｃがオン状態となるため、コンデンサＣ１はパルス波Ｐ１，Ｐ２，Ｐ３，Ｐ４の立ち上がり部分の傾きを小さくする。よって、低輝度モードにおいてはオーバーシュートが抑制される。
【００５６】
（２−３）ＨＵＤ装置１は、コンデンサＣ１及びスイッチ部Ｓｗｃに並列に接続されるエネルギ放出スイッチ部の一例であるスイッチ部Ｓｗａを備える。光源制御部２０１は、低輝度モードにおいては、パルス波Ｐ１，Ｐ２，Ｐ３，Ｐ４の立ち上がり部分により光源１１ｒ，１１ｇ，１１ｂに供給される電流値Ｉがターゲット値Ｔｇｔに到達したとき、スイッチ部Ｓｗａをオン状態とすることにより定電流供給部３００からの電流をスイッチ部Ｓｗａを介してグランドに流す。
この構成によれば、電流値Ｉがターゲット値Ｔｇｔに到達したときスイッチ部Ｓｗａをオン状態とすることにより、定電流供給部３００からの電流は、スイッチ部Ｓｗａを介してグランドに流れ込む。このため、迅速にパルス波Ｐ１，Ｐ２，Ｐ３，Ｐ４を立ち下げることができ、オーバーシュートを抑制できる。
【００５７】
なお、本発明は以上の実施形態及び図面によって限定されるものではない。本発明の要旨を変更しない範囲で、適宜、変更（構成要素の削除も含む）を加えることが可能である。以下に、変形の一例を説明する。
【００５８】
（変形例）
上記実施形態においては、光源駆動部４３は抵抗Ｒ１に対応するスイッチ部Ｓｗｒ１を備えていたが、スイッチ部Ｓｗｒ１に代えて、図１０に示すように、ツェナーダイオードＺＤ１を備えていてもよい。ツェナーダイオードＺＤ１のカソード端子はインダクタＬ１に接続され、ツェナーダイオードＺＤ１のアノード端子は抵抗Ｒ１に接続されている。
インダクタＬ１にエネルギが溜まることによりツェナーダイオードＺＤ１に印加される逆方向電圧がツェナーダイオードＺＤ１の降伏電圧を上回ったとき、図１０の矢印Ｙｚに示すように、アバランシェ降伏現象により、インダクタＬ１に蓄えられたエネルギは電流としてツェナーダイオードＺＤ１を介してグランドに放出される。ツェナーダイオードＺＤ１の逆方向電圧は、上記実施形態のイネーブル信号Ｓ＿ＥＮ２をＨｉとするタイミングにてツェナーダイオードＺＤ１の降伏電圧を上回るように設定される。
これにより、制御的に、かつ構成的に簡単に上記実施形態と同様の作用及び効果を奏することができる。
【００５９】
また、図１１に示すように、光源駆動部４３は、さらに、ツェナーダイオードＺＤ１によりオン状態とオフ状態の間で切り替わるスイッチ部Ｓｗｚを備える。スイッチ部Ｓｗｚは、ｎ型チャネルのＦＥＴからなる。スイッチ部Ｓｗｚのゲート端子はツェナーダイオードＺＤ１と抵抗Ｒ１の間に接続され、スイッチ部Ｓｗｚのドレイン端子はインダクタＬ１に接続され、スイッチ部Ｓｗｚのソース端子はグランドに接続される。この構成において、インダクタＬ１にエネルギが溜まることによりツェナーダイオードＺＤ１に印加される逆方向電圧がツェナーダイオードＺＤ１の降伏電圧を上回ったとき、スイッチ部Ｓｗｚのゲート電圧が上昇することにより、スイッチ部Ｓｗｚがオン状態に切り替わる。スイッチ部Ｓｗｚがオン状態に切り替わると、図１１の矢印Ｙｇに示すように、インダクタＬ１に蓄えられたエネルギは電流としてスイッチ部Ｓｗｚを介してグランドに放出される。スイッチ部Ｓｗｚを設けることにより、インダクタＬ１のエネルギを短時間で外部に放出することができる。
【００６０】
上記実施形態では、本発明に係る表示装置を車載用のヘッドアップディスプレイ装置に適用したが、車載用に限らず、飛行機、船等の乗り物に搭載されるヘッドアップディスプレイ装置に適用してもよい。また、ＨＵＤ装置１からの表示光Ｌはウインドシールド３に投射されていたが、専用のコンバイナに投射されてもよい。また、本発明に係る表示装置をヘッドアップディスプレイ装置ではなく、屋内又は屋外で使用されるプロジェクタ等の表示装置に適用してもよい。
【００６１】
上記実施形態では、第２の制御部２００は、調光信号ＳＬの値に基づき高輝度モード、中輝度モード及び低輝度モードの何れかに移行していたが、これに限られず、ＨＵＤ装置１や車両２に設けられた図示しない操作部を視認者４が操作することで、上記各モード間を移行してもよい。また、車両２のライトをオン・オフするスイッチの操作に応じて、上記各モード間を移行してもよい。
【００６２】
エネルギ貯蓄部の一例であるインダクタＬ１は、光源１１ｒ，１１ｇ，１１ｂ毎に設けられていてもよい。エネルギ貯蓄部は、インダクタＬ１に限らず、光源１１ｒ，１１ｇ，１１ｂの寄生容量であってもよい。
【００６３】
上記実施形態においては、第２の制御部２００は、オフ期間Ｔｏｆにおいては、スイッチ部Ｓｗａをオン状態としていたが、これに限らず、スイッチ部Ｓｗｒ１をオン状態としてもよい。これによっても、インダクタＬ１に残存するエネルギを放出できる。
【符号の説明】
【００６４】
１  ＨＵＤ装置
２  車両
３  ウインドシールド
５  光源駆動装置
７  照度センサ
１０  照明装置
１１，１１ｂ，１１ｇ，１１ｒ  光源
３０  表示素子
３０ａ  マイクロミラー
４３  光源駆動部
６１  平面鏡
６２  凹面鏡
６５  凹面鏡駆動部
１００  第１の制御部
２００  第２の制御部
２０１  光源制御部
２０２  表示素子制御部
２０３  電流供給制御部
２０４  比較部
３００  定電流供給部
５００  光強度検出部
Ｃ１  コンデンサ
Ｌ１  インダクタ
Ｐ１，Ｐ２，Ｐ３，Ｐ４  パルス波
Ｒ１  抵抗
ＺＤ１  ツェナーダイオード
Ｓｗｒ，Ｓｗｇ，Ｓｗｂ，Ｓｗｒ１，Ｓｗａ，Ｓｗｃ，Ｓｗｚ  スイッチ部
Ｔｏｎ  オンデューティー期間
Ｔｏｄ  オフデューティー期間
Ｉｉｎｄ  インダクタ電流
【図１】
2020111038.tif 000003
【図２】
2020111038.tif 000004
【図３】
2020111038.tif 000005
【図４】
2020111038.tif 000006
【図５】
2020111038.tif 000007
【図６】
2020111038.tif 000008
【図７】
2020111038.tif 000009
【図８】
2020111038.tif 000010
【図９】
2020111038.tif 000011
【図１０】
2020111038.tif 000012
【図１１】
2020111038.tif 000013
【国際調査報告】
2020111038.tif 000014
2020111038.tif 000015
2020111038.tif 000016
2020111038.tif 000017